(57)【要約】【課題】  本発明は、内筒と外筒とを有する筒型容器の下端部側の閉塞が容易で且つ強固に閉鎖出来る筒型容器を提供することを可能にすることを目的としている。【解決手段】  外筒２の一端部２ｇの全周に亘って該外筒２の内側に突出して設けられた係止縁部２ａと、内筒１の一端部１ｂの周上に該内筒１の軸方向に突出して設けられ、外筒２内に内筒１が挿入された際に係止縁部２ａに係止されると共に内筒１の一端部１ｂと、係止縁部２ａとの間に間隙３を形成する突出部１ａと、該間隙３に収容され外筒２の内径に対応する外径を有し外周上に突出部１ａの幅形状に対応する切り欠き部６ａを有し内部に操作用貫通穴６ｂを有する端板６とを有して構成したことを特徴とする。【選択図】      図５
2008018969.tif 000002
【特許請求の範囲】
【請求項１】
内筒と外筒とを有する筒型容器であって、
前記外筒の一端部の全周に亘って該外筒の内側に突出して設けられた係止縁部と、
前記内筒の一端部の周上の少なくとも２箇所に該内筒の軸方向に突出して設けられ、前記外筒内に前記内筒が挿入された際に前記係止縁部に係止されると共に前記内筒の一端部と前記係止縁部との間に所定の幅の間隙を形成する突出部と、
前記突出部により形成された前記内筒の一端部と前記係止縁部との間の間隙に収容されると共に、前記外筒の内径に対応する外径を有し且つ外周上に前記突出部の幅形状に対応する切り欠き部を有し且つ内部に操作用貫通穴を有する端板と、
を有することを特徴とする筒型容器。
【請求項２】
前記端板の外側で前記突出部により形成された前記内筒の一端部と前記係止縁部との間の間隙に収容されると共に、前記外筒の内径に対応する外径を有し且つ外周上に前記突出部の幅形状に対応する切り欠き部を有する化粧板と、
を有することを特徴とする請求項１に記載の筒型容器。
【請求項３】
前記外筒の他端部は閉塞され、該外筒の周上の少なくとも一部に設けられたファスナー部を解除することにより開放可能に構成されたことを特徴とする請求項１または請求項２に記載の筒型容器。
【発明の詳細な説明】
【技術分野】
【０００１】
本発明は、内筒と外筒とを有する筒型容器に関するものである。
【背景技術】
【０００２】
従来、種々の物品を収容する筒型容器が提案されており、例えば、特表平１０−５１３１３６号公報（特許文献１）には、内筒と外筒とを有する断面三角形の筒型容器で容器の底面を横切る向きに形成された折り目線に沿ってヒンジ式に開くようにした短い端部を設けたものが提案されている。三角形のエンド部分品(24)は、その側辺から突出したリテーナフラップ(25)が紙器の内側ライニング(10)と外側ケーシング(20)との間に挿入したときに、そのヒンジ線に沿って形成された同様のスリット(26)内に係合して閉位置に固定される。
【０００３】
【特許文献１】特表平１０−５１３１３６号公報
【発明の開示】
【発明が解決しようとする課題】
【０００４】
しかしながら、前述の従来例では、スリット(26)内に係合するリテーナフラップ(25)の摩擦抵抗により三角形のエンド部分品(24)を閉じただけであるので三角形のエンド部分品(24)が容易に開放してしまい、三角形のエンド部分品(24)を強固に閉鎖することが困難であった。
【０００５】
特に外筒の上端部が閉塞され、該外筒の周上の少なくとも一部に設けられた切り取り線部または切り取り帯部を切除することにより開放可能に構成された容器では、外筒の下端部側から容器内部に収容される物品を挿入する必要が有り、容器の下端部側の閉塞構造が問題であった。
【０００６】
本発明は前記課題を解決するものであり、その目的とするところは、内筒と外筒とを有する筒型容器の下端部側の閉塞が容易で且つ強固に閉鎖出来る筒型容器を提供せんとするものである。
【課題を解決するための手段】
【０００７】
前記目的を達成するための本発明に係る筒型容器の第１の構成は、内筒と外筒とを有する筒型容器であって、前記外筒の一端部の全周に亘って該外筒の内側に突出して設けられた係止縁部と、前記内筒の一端部の周上の少なくとも２箇所に該内筒の軸方向に突出して設けられ、前記外筒内に前記内筒が挿入された際に前記係止縁部に係止されると共に前記内筒の一端部と前記係止縁部との間に所定の幅の間隙を形成する突出部と、前記突出部により形成された前記内筒の一端部と前記係止縁部との間の間隙に収容されると共に、前記外筒の内径に対応する外径を有し且つ外周上に前記突出部の幅形状に対応する切り欠き部を有し且つ内部に操作用貫通穴を有する端板とを有することを特徴とする。
【０００８】
また、本発明に係る筒型容器の第２の構成は、前記第１の構成において、前記端板の外側で前記突出部により形成された前記内筒の一端部と前記係止縁部との間の間隙に収容されると共に、前記外筒の内径に対応する外径を有し且つ外周上に前記突出部の幅形状に対応する切り欠き部を有する化粧板とを有することを特徴とする。
【０００９】
また、本発明に係る筒型容器の第３の構成は、前記第１、第２の構成において、前記外筒の他端部は閉塞され、該外筒の周上の少なくとも一部に設けられたファスナー部を解除することにより開放可能に構成されたことを特徴とする。
【発明の効果】
【００１０】
本発明に係る筒型容器の第１の構成によれば、外筒の一端部側の開口部から該外筒内に内筒を挿入し、外筒の一端部の全周に亘って該外筒の内側に突出して設けられた係止縁部に、内筒の一端部の周上の少なくとも２箇所に該内筒の軸方向に突出して設けられた突出部を係止させて外筒内に内筒を収容する。その状態で突出部により内筒の一端部と外筒の一端部に設けられた係止縁部との間に所定の幅の間隙が形成される。
【００１１】
外筒及び内筒の一端部側の開口部から筒型容器内に収容する物品を投入する。投入する物品の嵩は、外筒及び内筒の一端部面高さレベルから所定の余裕スペースが確保されるように設定される。そして、外筒及び内筒の一端部側の開口部から筒型容器内に端板を斜めにして挿入し、操作用貫通穴に指を挿入して該端板の面が外筒及び内筒の一端部面と平行になるように外筒及び内筒の一端部側の開口部の外側方向に引きながら該端板を、突出部により形成された内筒の一端部と外筒の一端部に設けられた係止縁部との間の間隙に嵌合し、且つ該突出部に端板の切り欠き部を嵌合して該端板を係止して強固に且つ容易に固定することが出来る。
【００１２】
また、本発明に係る筒型容器の第２の構成によれば、前述のように端板を固定した状態で、外筒及び内筒の一端部側の外側から端板の外側に化粧板をやや撓ませて該化粧板を、突出部により形成された内筒の一端部と外筒の一端部に設けられた係止縁部との間の間隙に嵌合し、且つ該突出部に化粧板の切り欠き部を嵌合して該化粧板を係止して固定することが出来、これにより、端板に設けられた操作用貫通穴を覆い隠すことが出来る。
【００１３】
また、本発明に係る筒型容器の第３の構成によれば、外筒の他端部が閉塞されていても外筒及び内筒の一端部側の開口部側から端板、更には化粧板を容易に固定することが出来、外筒の周上の少なくとも一部に設けられたファスナー部を解除することにより筒型容器を開放して内容物品を容易に取り出すことが出来る。
【発明を実施するための最良の形態】
【００１４】
図により本発明に係る筒型容器の一実施形態を具体的に説明する。図１は本発明に係る筒型容器の第１実施形態の構成を示す外観斜視図、図２は本発明に係る筒型容器の第１実施形態の各構成部品の展開図、図３及び図４は第１実施形態の筒型容器を組み立てる様子を示す図、図５は突出部により形成された内筒の一端部と、外筒の一端部に設けられた係止縁部との間の間隙に端板を嵌合すると共に該突出部に端板の切り欠き部を嵌合して該端板を係止する様子を示す図、図６は端板の外側に化粧板を、突出部により形成された内筒の一端部と外筒の一端部に設けられた係止縁部との間の間隙に嵌合し、且つ該突出部に化粧板の切り欠き部を嵌合して該化粧板を係止する様子を示す図、図７（ａ）は突出部に端板の切り欠き部を嵌合する様子を示す部分拡大図、図７（ｂ）は突出部に化粧板の切り欠き部を嵌合する様子を示す部分拡大図、図８は第１実施形態の筒型容器を開封する様子を示す図である。
【００１５】
図１〜図８において、第１実施形態の筒型容器Ａは型紙で作成された印籠（いんろう）型の筒型容器Ａであって、断面楕円形状の内筒１と、該内筒１に外装される断面楕円形状の外筒２とを有している。図２の展開図に示すように、内筒１には該内筒１の一端部（下端部）１ｂの周上の２箇所に該内筒１の軸方向（図２の上下方向）に突出して方形状の突出部１ａが設けられている。また、外筒２の両端部（上下端部）の全周に亘って該外筒２の端部を内側にカールして突出して設けられた係止縁部２ａが設けられている。
【００１６】
図５〜図７に示すように、外筒２内に内筒１が挿入された際に突出部１ａが係止縁部２ａに係止され、これにより、内筒１の一端部（下端部）１ｂと係止縁部２ａとの間に所定の幅の間隙３が形成される。尚、本実施形態の間隙３は、端板６の厚みに化粧板７の厚みを加算した寸法に対応する幅（高さ）を有して構成される。
【００１７】
図２の展開図に示すように、内筒１は接着代１ｃに接着剤を塗布して接着することにより筒型に形成される。内筒１の前面の開口部１ｄには外筒２の一部を開放した際の蓋部２ｂの舌片２ｃに接触して蓋部２ｂを係止する係止舌片１ｅが設けられている。
【００１８】
一方、外筒２は接着代２ｄに接着剤を塗布して接着することにより筒型に形成される。外筒２の周上の少なくとも一部には、ファスナー部の一例として、蓋部２ｂと本体部２ｅとを一部切除可能なミシン目の切り取り線が設けられた切り取り線部２ｉ及び切り取り帯部２ｊが設けられており、該切り取り線部２ｉ及び切り取り帯部２ｊをミシン目に沿って切り取り切除することにより本体部２ｅから一部切除された蓋部２ｂがミシン目が形成されたヒンジ部２ｆを介して開放可能に構成されている。
【００１９】
図２に示す端板５は外筒２の内径に対応する外径を有する楕円形状で構成され、図３に示すように、外筒２の内部に挿入されて、該外筒２の他端部（上端部）２ｈに設けられた係止縁部２ａの内側に接着されて固定される。本実施形態では端板５により外筒２の他端部（上端部）２ｈが閉塞される。
【００２０】
図２に示す端板６は外筒２の内径に対応する外径を有する楕円形状で構成され、その外周上の長径方向（図２の上下方向）の端部に突出部１ａの幅形状に対応する切り欠き部６ａが形成されている。本実施形態の切り欠き部６ａは内筒１の長径方向（図２の上下方向）の曲率に応じて円弧状に湾曲した突出部１ａに対応して該端板６の外側に突の円弧状の切り欠き部６ａが形成される。端板６の内部には筒型容器Ａの組立時に指を差し込んで端板６を引き出すための操作用貫通穴６ｂが切り欠き部６ａに隣接して２箇所設けられている。
【００２１】
端板６は、図４、図５及び図７に示すように、一旦、外筒２内に嵌入された内筒１内に一端部（下端部）１ｂ側から挿入し、操作用貫通穴６ｂに指を差し込んで端板６を一端部（下端部）１ｂの外側（図５（ａ）の矢線ａ方向）に引き出し、突出部１ａにより形成された内筒１の一端部（下端部）１ｂと、外筒２の一端部（下端部）２ｇに形成された係止縁部２ａとの間の間隙３に収容すると共に、切り欠き部６ａを突出部１ａに嵌合して係止固定される。尚、図５及び図６は筒型容器Ａの一端部（下端部）側を長径方向と短径方向に９０度方向を変えて切断した際の断面図を示し、各図の左側が長径方向で右側が短径方向である。
【００２２】
図２に示す化粧板７は外筒２の内径に対応する外径を有する楕円形状で構成され、その外周上の長径方向（図２の上下方向）の端部に突出部１ａの幅形状に対応する切り欠き部７ａが形成されている。本実施形態の切り欠き部７ａは内筒１の長径方向（図２の上下方向）の曲率に応じて円弧状に湾曲した突出部１ａの幅寸法に対応した幅寸法を有し該化粧板７の内側に突の円弧状の切り欠き部７ａが形成される。
【００２３】
化粧板７は、図６及び図７に示すように、該化粧板７をその長径方向（図６の左右方向）或いはその短径方向に撓ませて端板６の外側で突出部１ａにより形成された内筒１の一端部（下端部）１ｂと、外筒２の一端部（下端部）２ｇに形成された係止縁部２ａとの間の間隙３に収容すると共に、切り欠き部７ａを突出部１ａに嵌合して係止固定される。
【００２４】
尚、本実施形態では内筒１の一端部（下端部）１ｂの周上の２箇所に突出部１ａを設けた一例について説明したが、３箇所以上の他の複数の突出部１ａを内筒１の一端部（下端部）１ｂの周上で該内筒１の軸方向（図２の上下方向）に突出して設けても良い。尚、その突出部１ａの数に対応して端板６及び化粧板７に該突出部１ａの幅形状に対応する切り欠き部６ａ，７ａを形成する。
【００２５】
上記構成において、筒型容器Ａを組み立てる際には、先ず、図２に示す内筒１及び外筒２の接着代１ｃ，２ｄにそれぞれ接着剤を塗布して各側辺を接着した後、図３に示すように、外筒２の何れかの開口端部から端板５を斜めにして外筒２内に挿入し、外筒２の蓋部２ｂ側の他端部（上端部）２ｈに設けられた係止縁部２ａの内側に接着剤により接着して固定する。このように端板５により外筒２の他端部（上端部）２ｈが閉塞される。
【００２６】
次に外筒２の一端部（下端部）２ｇ側の開口部から該外筒２内に内筒１を挿入し、図５及び図６に示すように、外筒２の一端部（下端部）２ｇの全周に亘って該外筒２の内側に突出して設けられた係止縁部２ａに、内筒１の一端部（下端部）１ｂの周上に該内筒１の軸方向に突出して設けられた突出部１ａを係止させて、図４に示すように、外筒２内に内筒１を収容する。その状態で突出部１ａにより内筒１の一端部（下端部）１ｂと外筒２の一端部（下端部）２ｇに設けられた係止縁部２ａとの間に所定の幅の間隙３が形成される。
【００２７】
そして、図４に示すように、端板５により閉鎖された蓋部２ｂが底板となるように筒型容器Ａの天地を逆さまにした状態で、外筒２及び内筒１の一端部（下端部）２ｇ，１ｂ側の開口部から筒型容器Ａ内に収容する物品８を投入する。投入する物品８の嵩は、外筒２及び内筒１の一端部（下端部）２ｇ，１ｂ面高さレベルから所定の余裕スペースが確保されるように設定される。
【００２８】
そして、図５（ａ）に示すように、外筒２及び内筒１の一端部（下端部）２ｇ，１ｂ側の開口部から筒型容器Ａ内に端板６を斜めにして挿入し、操作用貫通穴６ｂに指を挿入して該端板６の面が外筒２及び内筒１の一端部（下端部）２ｇ，１ｂ面と平行になるように外筒２及び内筒１の一端部（下端部）２ｇ，１ｂ側の開口部の外側方向（図５（ａ）の矢線ａ方向）に引きながら該端板６を、図５（ｂ）に示すように、突出部１ａにより形成された内筒１の一端部（下端部）１ｂと外筒２の一端部（下端部）２ｇに設けられた係止縁部２ａとの間の間隙３に嵌合し、図７（ａ）に示すように、突出部１ａに端板６の切り欠き部６ａを嵌合して該端板６を係止して強固に且つ容易に固定することが出来る。
【００２９】
次に、図６（ａ）に示すように、端板６を筒型容器Ａに固定した状態で、外筒２及び内筒１の一端部（下端部）２ｇ，１ｂ側の外側から端板６の外側に化粧板７をやや撓ませて該化粧板７を、図６（ｂ）に示すように、突出部１ａにより形成された内筒１の一端部（下端部）１ｂと外筒２の一端部（下端部）２ｇに設けられた係止縁部２ａとの間の間隙３に嵌合し、且つ図７（ｂ）に示すように、該突出部１ａに化粧板７の切り欠き部７ａを嵌合して該化粧板７を係止して固定することが出来、これにより、端板６に設けられた操作用貫通穴６ｂを覆い隠すことが出来る。
【００３０】
このように、外筒２の他端部（上端部）２ｈが端板５により閉塞されていても外筒２及び内筒１の一端部（下端部）２ｇ，１ｂ側の開口部側から端板６、更には化粧板７を容易に固定することが出来る。
【００３１】
図８に示すように、筒型容器Ａを開封して物品８を取り出す場合には、外筒２の周上の少なくとも一部に設けられた切り取り線部２ｉを切断すると共に切り取り帯部２ｊを切除してヒンジ部２ｆを介して蓋部２ｂを回動して開封し、筒型容器Ａを開放して内容物品８を容易に取り出すことが出来る。
【００３２】
次に図９を用いて本発明に係る筒型容器の第２実施形態の構成について説明する。図９は本発明に係る筒型容器の第２実施形態の構成を示す外観斜視図である。尚、前記第１実施形態と同様に構成したものは同一の符号を付与して説明を省略する。
【００３３】
本実施形態の筒型容器Ｂは、図９に示すように、内筒１及び外筒２が断面三角形状に構成されており、端板５，６及び化粧板７が外筒２の内径に対応する外径を有して三角形状に構成されている。端板６の内部には操作用貫通穴６ｂが三角形の３点の頂点近傍に設けられており、内筒１の一端部（下端部）１ｂの周上の断面三角形の３点の頂点に対応する位置の３箇所に該内筒１の軸方向（図９の上下方向）に突出して突出部１ａが設けられている。
【００３４】
一方、端板６及び化粧板７の外周上で各三角形の３点の頂点に対応する位置の３箇所には突出部１ａの幅形状に対応する切り欠き部６ａ，７ａが前記第１実施形態と略同様にして設けられている。
【００３５】
このような突出部１ａにより、前記第１実施形態と同様に、内筒１の一端部（下端部）１ｂと、外筒２の一端部（下端部）２ｇに設けられた係止縁部２ａとの間に間隙３が形成され、その間隙３に端板６及び化粧板７が同様にして収容される。他の構成は前記第１実施形態と同様に構成され、同様の効果を得ることが出来る。
【００３６】
尚、本発明に係る筒型容器は、断面真円形、断面長円形、断面方形状の他、断面多角形状等、種々の形状であっても良いし、筒型の他にも円錐型、角錐型等の容器にも同様に適用することが出来る。また、筒型容器の材質は紙製以外にも合成樹脂製等であっても良い。
【００３７】
また、筒型容器の開閉は、蓋部２ｂが本体部２ｅにヒンジ部２ｆを介して開閉可能に接続されていても良いし、開封後は蓋部２ｂと本体部２ｅとが完全に分離する構成であっても良い。
【００３８】
また、外筒２の蓋部２ｂを本体部２ｅから開放可能とするファスナー部の構成としては、前述のように外筒２の周上の少なくとも一部に設けられた切り取り線部２ｉを切り取るか、或いは切り取り帯部２ｊを切除する他にも何度でも着脱可能な公知のファスナー部を解除する構成としても良い。
【産業上の利用可能性】
【００３９】
本発明の活用例として、内筒と外筒とを有する筒型容器に広く適用出来る。
【図面の簡単な説明】
【００４０】
【図１】本発明に係る筒型容器の第１実施形態の構成を示す外観斜視図である。
【図２】本発明に係る筒型容器の第１実施形態の各構成部品の展開図である。
【図３】第１実施形態の筒型容器を組み立てる様子を示す図である。
【図４】第１実施形態の筒型容器を組み立てる様子を示す図である。
【図５】突出部により形成された内筒の一端部と、外筒の一端部に設けられた係止縁部との間の間隙に端板を嵌合すると共に該突出部に端板の切り欠き部を嵌合して該端板を係止する様子を示す図である。
【図６】端板の外側に化粧板を、突出部により形成された内筒の一端部と外筒の一端部に設けられた係止縁部との間の間隙に嵌合し、且つ該突出部に化粧板の切り欠き部を嵌合して該化粧板を係止する様子を示す図である。
【図７】（ａ）は突出部に端板の切り欠き部を嵌合する様子を示す部分拡大図、（ｂ）は突出部に化粧板の切り欠き部を嵌合する様子を示す部分拡大図である。
【図８】第１実施形態の筒型容器を開封する様子を示す図である。
【図９】本発明に係る筒型容器の第２実施形態の構成を示す外観斜視図である。
【符号の説明】
【００４１】
Ａ，Ｂ…筒型容器
１…内筒
１ａ…突出部
１ｂ…一端部（下端部）
１ｃ…接着代
１ｄ…開口部
１ｅ…係止舌片
２…外筒
２ａ…係止縁部
２ｂ…蓋部
２ｃ…舌片
２ｄ…接着代
２ｅ…本体部
２ｆ…ヒンジ部
２ｇ…一端部（下端部）
２ｈ…他端部（上端部）
２ｉ…切り取り線部
２ｊ…切り取り帯部
３…間隙
５…端板
６…端板
６ａ…切り欠き部
６ｂ…操作用貫通穴
７…化粧板
７ａ…切り欠き部
８…物品
【図１】
2008018969.tif 000003
【図２】
2008018969.tif 000004
【図３】
2008018969.tif 000005
【図４】
2008018969.tif 000006
【図５】
2008018969.tif 000007
【図６】
2008018969.tif 000008
【図７】
2008018969.tif 000009
【図８】
2008018969.tif 000010
【図９】
2008018969.tif 000011